(57)【特許請求の範囲】
【請求項１】
押鍵操作される鍵本体部、および前記鍵本体部の後方に一体的に形成されて変形により前記鍵本体部の上下方向の揺動を許容する薄肉部からそれぞれなる複数の鍵と、
前記複数の鍵を後端部にて支持する鍵フレームとを備え、
横方向に延設された長尺状の固定部材により前記複数の鍵の後端部をそれぞれ前記鍵フレーム上に共通に挟み込んで、前記複数の鍵の後端部をそれぞれ独立に前記鍵フレームに取り付けた鍵盤装置において、
前記複数の鍵に、それらの薄肉部の後方に一体的に厚肉部をそれぞれ設け、かつ
前記鍵フレームおよび前記厚肉部のうちのいずれか一方に突起を設けるとともに他方に孔を設けて、
前記孔に対して前記突起を上下方向の軸線周りに回転可能に勘合させるようにしたことを特徴とする鍵盤装置。
【請求項２】
押鍵操作される鍵本体部、および前記鍵本体部の後方に一体的に形成されて変形により前記鍵本体部の上下方向の揺動を許容する薄肉部からそれぞれなる複数の鍵と、
前記複数の鍵を後端部にて支持する鍵フレームとを備え、
横方向に延設された長尺状の固定部材により前記複数の鍵の後端部をそれぞれ前記鍵フレーム上に共通に挟み込んで、前記複数の鍵の後端部をそれぞれ独立に前記鍵フレームに取り付けた鍵盤装置において、
前記鍵フレームおよび前記薄肉部のうちのいずれか一方に突起を設けるとともに他方に孔を設けて、
前記孔に対して前記突起を上下方向の軸線周りに回転可能に勘合させるようにしたことを特徴とする鍵盤装置。
【請求項３】
押鍵操作される鍵本体部、および前記鍵本体部の後方に一体的に形成されて変形により前記鍵本体部の上下方向の揺動を許容する薄肉部からそれぞれなる複数の鍵と、
前記複数の鍵を後端部にて支持する鍵フレームとを備え、
横方向に延設された長尺状の固定部材により前記複数の鍵の後端部をそれぞれ前記鍵フレーム上に共通に挟み込んで、前記複数の鍵の後端部をそれぞれ独立に前記鍵フレームに取り付けた鍵盤装置において、
前記複数の鍵に、それらの薄肉部の後方に一体的に厚肉部をそれぞれ設け、かつ
前記固定部材および前記厚肉部のうちのいずれか一方に突起を設けるとともに他方に孔を設けて、
前記孔に対して前記突起を上下方向の軸線周りに回転可能に勘合させるようにしたことを特徴とする鍵盤装置。
【請求項４】
押鍵操作される鍵本体部、および前記鍵本体部の後方に一体的に形成されて変形により前記鍵本体部の上下方向の揺動を許容する薄肉部からそれぞれなる複数の鍵と、
前記複数の鍵を後端部にて支持する鍵フレームとを備え、
横方向に延設された長尺状の固定部材により前記複数の鍵の後端部をそれぞれ前記鍵フレーム上に共通に挟み込んで、前記複数の鍵の後端部をそれぞれ独立に前記鍵フレームに取り付けた鍵盤装置において、
前記固定部材および前記薄肉部のうちのいずれか一方に突起を設けるとともに他方に孔を設けて、
前記孔に対して前記突起を上下方向の軸線周りに回転可能に勘合させるようにしたことを特徴とする鍵盤装置。
【請求項５】
請求項１ないし４のうちのいずれか一つに記載した鍵盤装置において、
前記突起の外周面と前記孔の内周面とが全周の一部にて近接して対向するとともに他部にて離間して対向するように前記突起および前記孔を形成し、かつ
前記孔の内周面に近接して対向する前記突起の外周面の一部および前記突起の外周面に近接して対向する前記孔の内周面の一部のうちで、少なくとも一方の一部の横断面形状を円弧状に形成したことを特徴とする鍵盤装置。
【発明の詳細な説明】
【技術分野】
【０００１】
本発明は、電子オルガン、電子ピアノなどの鍵盤楽器に用いられる鍵盤装置に関する。
【背景技術】
【０００２】
従来から、下記特許文献１，２に示されているように、樹脂で成形した複数の鍵の後端部を鍵フレームに固定した鍵盤装置はよく知られている。この鍵盤装置は、例えば、図１２の分解斜視図、図１３の斜視図および図１４の側面図に示すように、複数の鍵ユニット１〜３をそれらの後端部にて鍵フレーム４に固定するようにしている。鍵ユニット１は、Ｃ鍵、Ｅ鍵、Ｇ鍵およびＢ鍵を有する樹脂の一体成型品である。鍵ユニット２は、Ｄ鍵、Ｆ鍵およびＡ鍵を有する樹脂の一体成型品である。鍵ユニット３は、Ｃ＃鍵、Ｄ＃鍵、Ｆ＃鍵、Ｇ＃およびＡ＃鍵を有する樹脂の一体成型品である。各鍵ユニット１〜３は、押鍵操作される鍵本体部５ａの後方に水平薄肉部５ｂを設けた複数の鍵５の後端部を、横方向に延設された連結部５ｃにそれぞれ接続するように構成されている。そして、各鍵ユニット１〜３の連結部５ｃを上下に重ねて、各連結部５ｃを複数のねじ６を用いて鍵フレーム４に固定している。
【特許文献１】特許第２８１４８８６号公報
【特許文献２】特許第２６２８６５６号公報
【０００３】
前記のように構成した鍵５を鍵盤楽器に組み込んだ状態では、図１５Ａに示すように、鍵フレーム側に設けられて上方に突出した鍵ガイド７が鍵本体部５ａの下面側の凹部に侵入して、鍵５の押鍵時には、鍵本体部５ａが鍵ガイド７に沿って下方に変位する。各鍵ユニット１〜３が、図１５Ａに示すように、精度よく成型されていて変形していない場合には問題ない。しかし、成型後の収縮などによって鍵５が反り、鍵５に変形が発生していると、例えば図１５Ｂに示すように図示左の鍵５が曲がっていると、鍵ガイド７を鍵本体部５ａの下面凹部に侵入させる際に、図１５Ｃに示すように、図示左の鍵５における鍵本体部５ａの下面凹部（図示Ｘ１部）は鍵ガイド７によって矢印方向の歪力Ｆを受ける。この歪力Ｆは、図示左の鍵５の鍵本体部５ａ、水平薄肉部５ｂおよび連結部５ｃを介して、他の鍵５に伝達され、他の鍵５の鍵本体部５ａを図示矢印方向に変形させようとする。したがって、他の鍵本体部５ａの下面凹部（図示Ｘ２部）と鍵ガイド７との間に比較的大きな摩擦力が発生して、図示左の鍵５に加えて、他の鍵５の押鍵および離鍵の操作感覚が悪化、すなわち鍵の正常な機能が発揮されないという問題がある。
【０００４】
また、前記事態を回避するために、前記特許文献２には、鍵本体部５ａと水平薄肉部５ｂとの間または水平薄肉部５ｂと連結部５ｃとの間に垂直薄肉部を設けることも提案されている。この場合、垂直薄肉部の変形により、前記図示左の鍵５における力Ｆを小さく抑えるとともに、他の鍵５への力Ｆの伝達が回避される。しかし、このような構成では、鍵５の前後方向の長さが、垂直薄肉部の前後方向の長さ分だけ大きくなってしまうという問題がある。
【発明の開示】
【０００５】
本発明は、上記問題に対処するためになされたもので、鍵の前後方向の長さを大きくすることなく、鍵の正常な機能が発揮されるようにした鍵盤装置を提供することにある。
【０００６】
本発明の鍵盤装置の基本的な構成は、押鍵操作される鍵本体部、および鍵本体部の後方に一体的に形成されて変形により鍵本体部の上下方向の揺動を許容する薄肉部からそれぞれなる複数の鍵と、複数の鍵を後端部にて支持する鍵フレームとを備え、横方向に延設された長尺状の固定部材により複数の鍵の後端部をそれぞれ鍵フレーム上に共通に挟み込んで、複数の鍵の後端部をそれぞれ独立に鍵フレームに取り付けたことにある。
【０００７】
これによれば、複数の鍵はそれぞれ独立に鍵フレームに取り付けられているので、上述した従来技術のように、成型後の歪、反りなどの変形による一つの鍵の歪力が他の鍵には影響しなくなる。また、各鍵は一つずつ独立して成型されるので、従来の複数の鍵を一体成形した鍵ユニットの場合と比べて、変形の頻度を少なくすることができる。さらに、鍵が変形している場合であっても、変形した一つの鍵のみを交換すればよい。その結果、上記本発明の特徴によれば、鍵盤装置において、鍵の前後方向の長さを大きくすることなく、鍵の正常な機能を簡単に期待できるようになる。
【０００８】
そして、本発明の特徴は、前記鍵盤装置において、複数の鍵にそれらの薄肉部の後方に一体的に厚肉部をそれぞれ設け、かつ鍵フレームおよび厚肉部のうちのいずれか一方に突起を設けるとともに他方に孔を設けて、孔に対して突起を上下方向の軸線周りに回転可能に勘合させるようにしたことにある。これによれば、鍵を鍵フレームに組み付ける際の位置決めを簡単に行うことができる。さらに、鍵が水平面内にてその後端部を中心に回転可能になり、上述した従来例のように鍵が横方向に多少変形していても、前記変形を吸収した状態で鍵を鍵フレームに取り付けることができる。また、鍵フレーム側に突起を設けた場合には、この突起を厚肉部の厚さよりも長くし、厚肉部の孔を上下に貫通する孔で構成し、かつ固定部材にも突起が勘合する孔を設け、突起を厚肉部を貫通させるとともに、固定部材に設けた孔にも勘合させるようにするとよい。これによれば、鍵および鍵フレームに加えて固定部材の位置決めも確実に行われるようになる。
【０００９】
また、本発明の他の特徴は、前記鍵盤装置において、鍵フレームおよび薄肉部のうちのいずれか一方に突起を設けるとともに他方に孔を設けて、孔に対して突起を上下方向の軸線周りに回転可能に勘合させるようにしたことにある。これによれば、前記場合と同様に、鍵を鍵フレームに組み付ける際の位置決めを簡単に行うことができるとともに、前記のような厚肉部を設けた場合の薄肉部と厚肉部との境界における応力の発生を回避できる。さらに、鍵が水平面内にてその後端部を中心に回転可能になり、上述した従来例のように鍵が横方向に多少変形していても、前記変形を吸収した状態で鍵を鍵フレームに取り付けることができる。また、この場合も、鍵フレーム側に突起を設けた場合には、この突起を薄肉部の厚さよりも長くし、薄肉部の孔を上下に貫通する孔で構成し、かつ固定部材にも突起が勘合する孔を設け、突起を薄肉部を貫通させるとともに、固定部材に設けた孔にも勘合させるようにするとよい。これによれば、鍵および鍵フレームに加えて固定部材の位置決めも確実に行われるようになる。
【００１０】
また、本発明の他の特徴は、前記鍵盤装置において、複数の鍵に、それらの薄肉部の後方に一体的に厚肉部をそれぞれ設け、かつ固定部材および厚肉部のうちのいずれか一方に突起を設けるとともに他方に孔を設けて、孔に対して突起を上下方向の軸線周りに回転可能に勘合させるようにしたことにある。これによれば、鍵を固定部材に組み付ける際の位置決めを簡単に行うことができる。さらに、鍵が水平面内にてその後端部を中心に回転可能になり、上述した従来例のように鍵が横方向に多少変形していても、前記変形を吸収した状態で鍵を鍵フレームに取り付けることができる。また、固定部材側に突起を設けた場合には、この突起を厚肉部の厚さよりも長くし、厚肉部の孔を上下に貫通する孔で構成し、かつ鍵フレームにも突起が勘合する孔を設け、突起を厚肉部を貫通させるとともに、鍵フレームに設けた孔にも勘合させるようにするとよい。これによれば、鍵および固定部材に加えて鍵フレームの位置決めも確実に行われるようになる。
【００１１】
また、本発明の他の特徴は、前記鍵盤装置において、固定部材および薄肉部のうちのいずれか一方に突起を設けるとともに他方に孔を設けて、孔に対して突起を上下方向の軸線周りに回転可能に勘合させるようにしたことにある。これによれば、前記場合と同様に、鍵を固定部材に組み付ける際の位置決めを簡単に行うことができるとともに、前記のような厚肉部を設けた場合の薄肉部と厚肉部との境界における応力の発生を回避できる。さらに、鍵が水平面内にてその後端部を中心に回転可能になり、上述した従来例のように鍵が横方向に多少変形していても、前記変形を吸収した状態で鍵を鍵フレームに取り付けることができる。また、この場合も、固定部材側に突起を設けた場合には、この突起を薄肉部の厚さよりも長くし、薄肉部の孔を上下に貫通する孔で構成し、かつ鍵フレームにも突起が勘合する孔を設け、突起を薄肉部を貫通させるとともに、鍵フレームに設けた孔にも勘合させるようにするとよい。これによれば、鍵および固定部材に加えて固定部材の位置決めも確実に行われるようになる。
【００１３】
さらに、本発明の他の特徴は、前記突起および孔を設けた鍵盤装置において、突起の外周面と孔の内周面とが全周の一部にて近接して対向するとともに他部にて離間して対向するように突起および孔を形成し、かつ孔の内周面に近接して対向する突起の外周面の一部および突起の外周面に近接して対向する孔の内周面の一部のうちで、少なくとも一方の一部の横断面形状を円弧状に形成したことにある。これによれば、前述のような鍵の回転により、鍵の横方向の変形を鍵フレームへの取り付け時に吸収できるとともに、突起の外周面と孔の内周面とが全周の一部のみで近接して対向するので、鍵を鍵フレームに組み付け易くもなる。さらに、この円弧の中心と、突起が孔に対して上下方向の軸線周りに回転する際の回転中心とを一致させるようにするとよい。これによれば、鍵の水平面内の回転時に、近接して対向する突起の外周面と孔の内周面と間の隙間を一定に維持できて、突起と孔との隙間以上の鍵後端部のぶれが無くなる。
【発明を実施するための最良の形態】
【００１４】
ａ．第１実施形態
以下、本発明の第１実施形態について図面を用いて説明する。図１は、第１実施形態に係る鍵盤装置の分解斜視図である。図２は、同鍵盤装置の斜視図である。図３は、同鍵盤装置の側面図である。この鍵盤装置は、複数の鍵１０と、鍵フレーム２０と、固定部材３０とを備えている。なお、黒鍵は、隣接する２つの白鍵１０間に位置し、後述する白鍵１０と同様な取り付け構造を有し、後述する白鍵１０の取り付け方法と同様な方法により鍵フレーム２０に取り付けられる。ただし、図１〜３においては、複数の鍵１０として黒鍵を省略して、白鍵のみを示している。また、前記図１〜３および後述する他の図面においては、鍵フレーム２０の前部分および鍵フレーム２０上に設けられた鍵ガイドも省略されている。
【００１５】
各鍵１０は、樹脂によって一体成型された鍵本体部１１、薄肉部１２および厚肉部１３からなる。鍵本体部１１は、演奏者によって押鍵操作される部位であり、前後方向に延設されて、下面に凹部を形成している。鍵１０の鍵フレーム２０への組み付け時には、前記下面の凹部に、鍵フレーム２０側に設けた図示しない鍵ガイドが侵入して、鍵本体部１１の横方向への変位が規制される。薄肉部１２は、上下方向に薄い厚みを有し、かつ鍵本体部１１の後端面の幅と同じまたは若干狭い幅を有する薄板状に成型されて、鍵本体部１１の後端面から後方に延設されている。この薄肉部１２は、鍵１０の鍵フレーム２０への取り付け時に、弾性変形により鍵本体部１１の上下方向の揺動を許容する。厚肉部１３は、薄肉部１２よりも上下方向に厚く、鍵本体部１１の後端面の幅とほぼ同じ幅を有する直方体状に成型されて、薄肉部１２の後方に設けられている。
【００１６】
厚肉部１３には、上下方向に貫通する孔１４が形成されている。この孔１４の形状について詳しく説明する。図４は、一つの鍵１０を鍵フレーム２０に取り付けた状態を、固定部材３０を省略して示す平面図である。図５は、図４のＡ部の拡大図である。孔１４は、上下方向には、いずれの位置においても同一の横断面形状を有する。そして、孔１４の横断面形状は、相対向する前後方向位置にて互いに平行な一対の直線部１４ａを有するとともに、相対向する左右方向位置にてそれぞれ同一半径の一対の円弧部１４ｂを有する長円形状である。左右両円弧部１４ｂの中心は同一、すなわち一つの円の対向する一対の円周部分である。
【００１７】
鍵フレーム２０は、金属または樹脂により、横方向に長尺状に一体成型されている。この鍵フレーム２０は、段部を境に上段部２１および下段部２２を有する。上段部２１および下段部２２の上面は水平である。上段部２１の上面には、一体形成された突起２３が設けられている。なお、この突起２３を鍵フレーム２０とは別途形成して、上段部２１の上段部２１に固着するようにしてもよい。また、上段部２１には、横方向に適当な間隔をおいて、複数のねじ孔２４が設けられている。
【００１８】
突起２３の形状について詳しく説明しておく。前述した図５に示すように、突起２３は、上下方向には、いずれの位置においても同一の横断面形状を有するほぼ十文字状に形成されている。十文字状の横断面形状の前後方向の両先端部２３ａは、それぞれ同一の半径の円弧形状であり、極めて僅かな隙間を隔てて直線部１４ａに対向している。特に、前後両先端部２３ａの円弧の中心は同一、すなわち一つの円の対向する一対の円周部分である。そして、この円弧の直径は、孔１４の直線部１４ａ，１４ｂ間の距離に等しい。さらに、鍵１０を鍵フレーム２０に組み付けた状態では、前後両先端部２３ａの円弧の各中心は、鍵１０に設けた孔１４の左右両円弧部１４ｂの中心と同じである。十文字状の横断面形状の左右方向の両先端部２３ｂも、それぞれ同一の半径の円弧形状であり、極めて僅かな隙間を隔てて円弧部１４ｂに対向している。ただし、両先端部２３ｂの円弧の半径は、両先端部２３ａの円弧の半径よりも小さい。
【００１９】
固定部材３０も、金属または樹脂により、横方向に長尺状に一体成型されている。固定部材３０の縦断面形状はほぼＴ字状をしており、前側の下部には、鍵１０の厚肉部１３が収容されるようになっている。また、固定部材３０には、前記鍵フレーム２０のねじ孔２４に対応する位置に、複数のねじ３１を貫通させるための複数の貫通孔３２が設けられている。なお、図３においては、ねじ３１を省略して示している。
【００２０】
上記のような構成の鍵盤装置においては、鍵フレーム２０の上段部２１の突起２３を各鍵１０の厚肉部１３の孔１４内に侵入させるようにして、複数の鍵１０の厚肉部１３をそれぞれ鍵フレーム２０の上段部２１に組み付けて、複数の鍵１０を鍵フレーム２０上に配列する。また、鍵１０を鍵フレーム２０に組み付ける際には、鍵１０の鍵本体部１１の下面凹部に、鍵フレーム２０上に設けた図示しない鍵ガイドを侵入させる。そして、複数の鍵１０の厚肉部１３に上方から固定部材３０を押し当て、その後に、複数のねじ３１を貫通させて鍵フレーム２０のねじ孔２４にねじ込む。これにより、複数の鍵１０の後端部すなわち厚肉部１３が、固定部材３０により鍵フレーム２０上にそれぞれ挟み込まれて固定される。その結果、複数の鍵１０を鍵フレーム２０に取り付けた鍵盤装置が完成する。
【００２１】
この鍵盤装置によれば、複数の鍵１０はそれぞれ独立に鍵フレーム２０に取り付けられているので、成型後の歪、反りなどの変形による一つの鍵１０の歪力が他の鍵１０には影響しなくなる。また、各鍵１０は一つずつ独立して成型されるので、従来の複数の鍵を一体成型した鍵ユニットの場合と比べて、不良の頻度を少なくすることができる。さらに、鍵１０が変形した場合であっても、変形した一つの鍵１０のみを交換すればよい。したがって、鍵１０の前後方向の長さを大きくすることなく、鍵の正常な機能を簡単に期待できるようになる。
【００２２】
また、鍵フレーム２０の突起２３を鍵１０の孔１４に勘合させるようにしたので、鍵１０を鍵フレーム２０に組み付ける際の位置決めを簡単に行うことができる。また、孔１４内に突起２３を侵入させた状態では、突起２３の前後方向および横方向の先端部２３ａ,２３ｂのみが、孔１４の直線部１４ａおよび円弧部１４ｂに近接して対向し、他の部分に関しては、突起２３の外周面は孔１４の内周面に対して離間して対向する。したがって、鍵１０を鍵フレーム２０に組み付け易くなるとともに、突起２３の孔１４内の垂直軸周りの回転により、鍵１０の横方向の変形を鍵フレーム２０への取り付け時に吸収できる。また、孔１４の左右両円弧部１４ｂの中心と、突起２３の前後両先端部２３ａの円弧の中心とは同じであるので、突起２３の孔１４内の垂直軸周りの回転時にも、突起２３の前後方向および横方向の先端部２３ａ,２３ｂと、孔１４の直線部１４ａおよび円弧部１４ｂとの隙間を一定に維持されて、突起２３と孔１４との隙間以上の鍵１０の後端部のぶれを無くすことができる。
【００２３】
ｂ．第２実施形態
次に、本発明の第２実施形態に係る鍵盤装置について説明する。図６は、同第２実施形態に係る鍵盤装置を一つの鍵についてのみ示す分解斜視図である。図７は、同鍵盤装置の側面図である。この鍵盤装置は、上記第１実施形態の突起２３および孔１４の配置に関してのみ変更され、他の構成については上記第１実施形態と同じである。なお、これらの図６および図７においては、上記第１実施形態のねじ３１、貫通孔３２およびねじ孔２４は、省略されている。
【００２４】
この第２実施形態においては、突起１５が鍵１０の厚肉部１３の下面から突出するように設けられている。この場合、突起１５は、鍵１０と一体的に樹脂により成型され、横断面形状を含む突起の１５の立体形状は上記第１実施形態の突起２３と同じである。孔２５が、鍵フレーム２０における上段部２１の前記突起２３位置に、上下に貫通するように設けられている。孔２５の横断面形状も、上記第１実施形態の孔１４の横断面形状と同じである。
【００２５】
このように構成した鍵盤装置においては、その組み立て時に、各鍵１０の厚肉部１３に設けた突起１５を鍵フレーム２０の上段部２１の孔２５内に侵入させるようにして、複数の鍵１０の厚肉部１３をそれぞれ鍵フレーム２０の上段部２１に組み付けて、複数の鍵１０を鍵フレーム２０上に配列する。その他の組み立て方法に関しては、上記第１実施形態の場合と同様である。このような第２実施形態に係る鍵盤装置においては、上記第１実施形態に係る鍵盤装置に対して、突起１５と孔２５との関係を相対的に変更しただけであるので、上記第１実施形態と同様な効果が期待される。
【００２６】
ｃ．第３実施形態
次に、本発明の第３実施形態に係る鍵盤装置について説明する。図８は、同第３実施形態に係る鍵盤装置を一つの鍵についてのみ示す分解斜視図である。図９は、同鍵盤装置の側面図である。この鍵盤装置は、上記第１実施形態の厚肉部１３を省略して、薄肉部１６に孔１７を直接形成したものである。この場合、薄肉部１６は、上記第１実施形態の厚肉部１３の前後方向の長さだけ、上記第１実施形態の薄肉部１２よりも長く形成されている。また、この薄肉部１６には、上記第１実施形態の孔１４と同じ前後方向位置にて、孔１７が形成されている。なお、この孔１７の横断面形状は上記第１実施形態の孔１４の横断面形状と同じである。
【００２７】
また、鍵フレーム２０の上段部２１に設けた突起２６の高さは、上記第１実施形態の突起２３の高さよりも低く、薄肉部１６の厚さと同じである。なお、突起６の横断面形状は、上記第１実施形態の突起２６の横断面形状と同じである。また、この第３実施形態においては、固定部材３０の前部分の厚みが、上記第１実施形態の固定部材３０の厚みよりも、上記第１実施形態の厚肉部１３の厚みから薄肉部１６の厚み（上記第１実施形態の薄肉部１２の厚みと同じ）だけ厚く構成されている。他の構成については上記第１実施形態と同じである。なお、これらの図８および図９においても、上記第１実施形態のねじ３１、貫通孔３２およびねじ孔２４は、省略されている。
【００２８】
このように構成した鍵盤装置においては、その組み立て時に、鍵フレーム２０の上段部２１の突起２６を鍵１０の薄肉部１６の孔１７に侵入させるようにして、複数の鍵１０の薄肉部１６の先端部分をそれぞれ鍵フレーム２０の上段部２１に組み付けて、複数の鍵１０を鍵フレーム２０上に配列する。その他の組み立て方法に関しては、上記第１実施形態の場合と同様である。したがって、このような第３実施形態に係る鍵盤装置においても、上記第１実施形態と同様な効果が期待される。また、この第３実施形態に係る鍵盤装置においては、上記第１および第２実施形態の厚肉部１３を省略したので、厚肉部１３を設けた場合の薄肉部１２と厚肉部１３との境界における応力の発生を回避できる。
【００２９】
ｄ．第４実施形態
次に、本発明の第４実施形態に係る鍵盤装置について説明する。図１０は、同第４実施形態に係る鍵盤装置を一つの鍵についてのみ示す分解斜視図である。図１１は、同鍵盤装置の側面図である。この鍵盤装置は、上記第３実施形態の突起２６および孔１７の配置に関してのみ変更され、他の構成については上記第３実施形態と同じである。なお、これらの図１０および図１１においても、上記第１実施形態のねじ３１、貫通孔３２およびねじ孔２４は、省略されている。
【００３０】
この第４実施形態においては、突起１８が鍵１０の薄肉部１６の下面から突出するように設けられている。この場合、突起１５は、鍵１０と一体的に樹脂により構成され、その横断面形状は上記第３実施形態の突起２６と同じである。ただし、突起１８の高さは、上記第３実施形態の突起２６よりも高い方が好ましい。孔２７が、鍵フレーム２０における上段部２１の前記突起２６位置に、上下に貫通するように設けられている。孔２７の横断面形状も、上記第３実施形態の孔１７の横断面形状と同じである。
【００３１】
このように構成した鍵盤装置においては、その組み立て時に、各鍵１０の薄肉部１６に設けた突起１８を鍵フレーム２０の上段部２１の孔２７内に侵入させるようにして、複数の鍵１０の薄肉部１６をそれぞれ鍵フレーム２０の上段部２１に組み付けて、複数の鍵１０を鍵フレーム２０上に配列する。その他の組み立て方法に関しては、上記第３実施形態の場合と同様である。このような第４実施形態に係る鍵盤装置においては、上記第３実施形態に係る鍵盤装置に対して、突起１５と孔２５との関係を相対的に変更しただけであるので、上記第３実施形態と同様な効果が期待される。
【００３２】
さらに、本発明の実施にあたっては、上記第１ないし第４実施形態に限定されるものではなく、本発明の目的を逸脱しない限りにおいて種々の変更が可能である。
【００３３】
例えば、上記第１ないし第４実施形態では、孔１４，２５，１７，２７の横断面形状を長円状にするとともに、突起２３，１５，２６，１８の横断面形状を十文字状に形成した。しかし、孔１４，２５，１７，２７および突起２３，１５，２６，１８の形状は、これらに限らず、鍵１０の水平面内の角度を自由に設定でき、かつ前後左右方向の位置決めを規定できるものであれば、他の形状であってもよい。例えば、突起２３，１５，２６，１８の横断面形状は、円形、星形などであってもよい。孔１４，２５，１７，２７の横断面形状は、円形、楕円形などであってもよい。
【００３４】
また、上記第１実施形態では、鍵フレーム２０側に設けた突起２３を鍵１０側に設けた孔１４のみに勘合させた。しかし、これに代え、鍵フレーム２０側に設けた突起２３を固定部材３０にも勘合させるようにするとよい。この場合、突起２３を厚肉部１３の厚さよりも長くし、かつ固定部材３０の対応する位置にも突起２３が勘合する孔を設けておき、突起２３を厚肉部１３の孔１４を貫通させるとともに、固定部材３０に設けた孔にも勘合させるようにするとよい。これによれば、鍵１０および鍵フレーム２０に加えて固定部材３０の位置決めも確実に行われるようになる。
【００３５】
また、上記第３実施形態では、鍵フレーム２０側に設けた突起２６を鍵１０側に設けた孔１７のみに勘合させた。しかし、これに代え、鍵フレーム２０側に設けた突起２３を固定部材３０にも勘合させるようにするとよい。この場合、突起２６を薄肉部１６の厚さよりも長くし、かつ固定部材３０の対応する位置にも突起２６が勘合する孔を設けておき、突起２６を薄肉部１６の孔１７を貫通させるとともに、固定部材３０に設けた孔にも勘合させるようにするとよい。これによれば、鍵１０および鍵フレーム２０に加えて固定部材３０の位置決めも確実に行われるようになる。
【００３６】
また、上記第１ないし第４実施形態においては、突起２３，１５，２６，１８と孔１４，２５，１７，２７との勘合により、鍵１０と鍵フレーム２０との位置決めするようにした。しかし、これに代えて、鍵１０と固定部材３０とを突起の孔への勘合により位置決めするように、上記第１ないし第４実施形態を変形してもよい。上記第１実施形態の変形例においては、鍵フレーム２０側に設けた突起２３を固定部材３０の下面の対応する位置に設けるようにする。また、上記第２実施形態の変形例においては、鍵１０の厚肉部１５の下面に設けた突起１５に代えまたは加えて突起１５と同様な突起を厚肉部１３の上面に設ける。そして、鍵フレーム２０側に設けた孔２５と同様な孔を固定部材３０の対応する位置に設けるようにする。上記第３実施形態の変形例においては、鍵フレーム２０側に設けた突起２６を固定部材３０の下面の対応する位置に設けるようにする。また、上記第４実施形態の変形例においては、鍵１０の薄肉部１６の下面に設けた突起１８に代えまたは加えて突起１８と同様な突起を薄肉部１６の上面に設ける。そして、鍵フレーム２０側に設けた孔２７と同様な孔を固定部材３０の対応する位置に設けるようにする。
【００３７】
そして、このように構成された変形例においては、鍵盤装置の組み立て時において、鍵１０、鍵フレーム２０および固定部材３０の上下関係を適宜逆さにして、鍵１０を固定部材３０上に組付け、その後に、鍵フレーム２０を上方から載置する。そして、鍵フレーム２０側からねじを用いて鍵フレーム２０を鍵１０上に固定するようにするとよい。したがって、この場合には、固定部材３０側にねじ孔を形成しておくとともに、鍵フレーム２０側にねじが貫通する貫通孔を設けておくとよい。これによっても、上記実施形態と同様な効果が期待される。
【００３８】
さらに、前記第１および第３実施形態の変形例のように、固定部材３０側に突起を設けた場合には、この突起を鍵フレーム２０にも勘合させるようにしてもよい。第１実施形態の変形例においては、固定部材３０側に設けた突起を、厚肉部１３の厚さよりも長くし、かつ鍵フレーム２０にも突起が勘合する孔を設け、突起を厚肉部１３を貫通させるとともに、鍵フレーム２０に設けた孔にも勘合させるようにするとよい。また、第３実施形態の変形例においては、固定部材３０側に設けた突起を、薄肉部１７の厚さよりも長くし、かつ鍵フレーム２０にも突起が勘合する孔を設け、突起を薄肉部１６を貫通させるとともに、鍵フレーム２０に設けた孔にも勘合させるようにするとよい。
【００３９】
さらに、上記第１ないし第４実施形態では、固定部材３０を鍵フレーム２０の上段部２１にねじ３１により固定するようにした。しかし、固定部材３０を鍵フレーム２０の上段部２１に、接着剤、ビスの圧入などにより固定するようにしてもよい。
【図面の簡単な説明】
【００４０】
【図１】第１実施形態に係る鍵盤装置の分解斜視図である。
【図２】第１実施形態に係る鍵盤装置の斜視図である。
【図３】第１実施形態に係る鍵盤装置の側面図である。
【図４】第１実施形態に係り、一つの鍵を鍵フレームに取り付けた状態を、固定部材を省略して示す平面図である。
【図５】図４のＡ部の拡大図である。
【図６】第２実施形態に係る鍵盤装置を一つの鍵についてのみ示す分解斜視図である。
【図７】第２実施形態に係る鍵盤装置の側面図である。
【図８】第３実施形態に係る鍵盤装置を一つの鍵についてのみ示す分解斜視図である。
【図９】第３実施形態に係る鍵盤装置の側面図である。
【図１０】第４実施形態に係る鍵盤装置を一つの鍵についてのみ示す分解斜視図である。
【図１１】第４実施形態に係る鍵盤装置の側面図である。
【図１２】従来の鍵盤装置の分解斜視図である。
【図１３】従来の鍵盤装置の斜視図である。
【図１４】従来の鍵盤装置の側面図である。
【図１５Ａ】従来の鍵盤装置における変形していない鍵ユニットの平面図である。
【図１５Ｂ】従来の鍵盤装置における変形した鍵ユニットの平面図である。
【図１５Ｃ】従来の鍵盤装置の欠点を説明するための変形した鍵ユニットの組み付け状態を示す平面図である。
【符号の説明】
【００４１】
１０…鍵、１１…鍵本体部、１２，１６…薄肉部、１３…厚肉部、１４，１７，２５，２７…孔、２０…鍵フレーム、１５，１８，２３，２６…突起、３０…固定部材、３１…ねじ
【図１】
0004848808.tif 000002
【図２】
0004848808.tif 000003
【図３】
0004848808.tif 000004
【図４】
0004848808.tif 000005
【図５】
0004848808.tif 000006
【図６】
0004848808.tif 000007
【図７】
0004848808.tif 000008
【図８】
0004848808.tif 000009
【図９】
0004848808.tif 000010
【図１０】
0004848808.tif 000011
【図１１】
0004848808.tif 000012
【図１２】
0004848808.tif 000013
【図１３】
0004848808.tif 000014
【図１４】
0004848808.tif 000015
【図１５Ａ】
0004848808.tif 000016
【図１５Ｂ】
0004848808.tif 000017
【図１５Ｃ】
0004848808.tif 000018